(57)【要約】【課題】ネットワークに接続されるネットワーク構成要素の数が多くなっても、操作履歴に基づくネットワーク領域に対する関心度を反映させて、各種システムのマクロな情報とミクロな情報の両方を同時に見ることができるシステム表示装置を実現すること。【解決手段】複数のネットワーク構成要素が接続されたネットワークをツリー構造で共通の画面に表示するように構成されたシステム表示装置において、  操作履歴に基づいてネットワーク領域に対する関心度を求め、求めた関心度に応じて展開表示したときの拡大率を変化させる非線形ズーム処理手段により、ネットワークのマクロな情報とミクロな情報を同時に表示することを特徴とするもの。【選択図】図１
2012177984.tif 000002
【特許請求の範囲】
【請求項１】
複数のネットワーク構成要素が接続されたネットワークをツリー構造で共通の画面に表示するように構成されたシステム表示装置において、
操作履歴に基づいてネットワーク領域に対する関心度を求め、求めた関心度に応じて展開表示したときの拡大率を変化させる非線形ズーム処理手段により、ネットワークのマクロな情報とミクロな情報を同時に表示することを特徴とするシステム表示装置。
【請求項２】
前記非線形ズーム処理手段は、
各ノードの座標データと形状データと接続データを収集するデータ収集部と、
このデータ収集部が収集した各ノードのデータに基づき、拡大表示するノードの拡大率と、拡大ノードの表示と重ならないように他のノードを移動させる移動先と、これら移動ノードの縮小率を演算する演算部、
を含むことを特徴とする請求項１記載のシステム表示装置。
【請求項３】
前記システムは、ネットワーク管理システムであることを特徴とする請求項１または請求項２に記載のシステム表示装置。
【請求項４】
前記システムは、フィールド機器がフィールドバスを介して接続されたプラント制御システムであることを特徴とする請求項１または請求項２に記載のシステム表示装置。
【発明の詳細な説明】
【技術分野】
【０００１】
本発明は、システム表示装置に関し、詳しくは、ネットワーク管理システムやプラント制御システムなどの各種システムの状況を表示するシステム表示装置の改善に関する。
【背景技術】
【０００２】
図１２は、ユーザがネットワークの状況を把握するために用いられている従来のシステム表示装置の表示画面例図である。
【０００３】
図１２において、ネットワーク管理マネージャＮＷＭは、ルータなどのネットワークを構成する各ノードＮＷＮから情報を収集する。ネットワーク管理クライアントＮＷＣは、ネットワーク管理マネージャＮＷＭが収集した情報を表示する。ネットワーク管理者は、ネットワーク管理マネージャＮＷＭの表示画面を見ながらネットワークの管理を行う。
【０００４】
ところで、ネットワーク管理マネージャＮＷＭで管理対象とするネットワークを構成するノードＮＷＮの一覧を表示するのにあたっては、各ノードＮＷＮに関する情報を文字による一覧表として表示する表形式や、関係するアイコン相互間をラインで接続して表示するマップ形式を用いることが多い。
【０００５】
表形式は、ネットワークを構成する各ノードＮＷＮの個々の状況を文字で表示できることから、状況を把握しやすいという利点を持つものの、ノードＮＷＮ相互間の関係を視覚的に表現することが難しいことから直観性に乏しく、障害の発生したノードＮＷＮを直ちに発見することは困難である。
【０００６】
これに対し、マップ形式は、たとえば図１３に示すようにネットワークを構成する各ノードＮＷＮをアイコンなどで表示し、表示色や点滅などを用いて現在の状況を視覚的に表示できる。ネットワークの詳しい状況を表示するためにはダイアログなど別の手段が必要となるが、直観性は高く、たとえば障害の発生したノードＮＷＮを容易に発見できる。
【０００７】
図１３において、四角で表したアイコンはネットワーク領域ＮＷを表わすものであり、ツリーの子要素を持っている。従来は、ネットワーク領域ＮＷを指定することで画面を展開し、ネットワーク領域ＮＷに含まれるネットワーク構成要素のみを表示していた。
【０００８】
ところが、このような従来の手法によれば、管理するネットワーク構成要素が多くなると、ツリー構造が複雑になってしまう。そのため、ツリーをたどろうとすると、他のネットワーク領域に含まれるネットワーク構成要素の状況などを参照できなくなってしまうという問題があった。
【０００９】
そこで、本願発明の出願人は、特許文献１として提示する特開２０１０−２１１３７８に記載しているように、非線形ズーミングを採用することでユーザの関心があるネットワーク領域だけを拡大表示することで、１画面においてネットワークの詳細情報と概要情報の両方を参照できるようにしている。
【００１０】
たとえば、図１３において、ユーザが右上のネットワーク領域ＮＷを展開表示するように指定すると、図１４に示すように指定されたネットワーク領域ＮＷが持っている子要素の数などから適切な拡大表示の大きさを求める。
【００１１】
このとき、ただ単に領域を拡大するだけだと、他のネットワーク構成要素と重なりが生じてしまう。そこで、前述のような非線形ズーミングを用いて図１５に示すような再レイアウトを行い、マップにおける幾何的特徴を変化させないようにする。このような再レイアウトを行うことにより、結果的に、図１６に示すように、興味のある範囲だけを詳細に表示し、他は概略情報だけを表示することができるようになる。
【先行技術文献】
【特許文献】
【００１２】
【特許文献１】特開２０１０−２１１３７８号公報
【発明の概要】
【発明が解決しようとする課題】
【００１３】
しかし、ユーザが前述のような操作を繰り返して行う結果、展開表示するネットワーク領域が増えてくると、展開表示を行うための空白領域が少なくなってしまう。つまり、非線形ズーミングによって、拡大率が変化しているにもかかわらず、ユーザが多くのネットワーク領域を展開することにより、多くのネットワーク領域の拡大率が同じになってしまい、画面全体を拡大表示した場合との違いがなくなってしまう。
【００１４】
ネットワークに接続しているノード数が少ない場合は問題は表面化しないが、ノード数が多くなると顕在化して無視できなくなってしまう。
【００１５】
解決策として、ユーザに対し、拡大表示できるネットワーク領域を制限するという手法を取ることも考えられる。
【００１６】
ところが、この場合には、ネットワーク領域をある一定数まで拡大表示してしまうと、拡大表示したネットワーク領域のいずれかを縮小させるまで他のネットワーク領域を拡大表示させることができなくなってしまい、このことが結果的に、ユーザの利便性を低下させてしまう。
【００１７】
また、拡大表示を行うための十分な領域が存在しない場合、画面全体を一定の割合で縮小表示する方法を使用することもできる。
【００１８】
しかし、この手法では、拡大表示したネットワーク領域が多くなると縮小率が大きくなってしまい、ユーザが個々のノードの状態などを参照することが難しくなってしまう。
【００１９】
本発明は、このような問題点を解決するものであり、その目的は、ネットワークに接続されるネットワーク構成要素の数が多くなっても、操作履歴に基づくネットワーク領域に対する関心度を反映させて、各種システムのマクロな情報とミクロな情報の両方を同時に見ることができるシステム表示装置を実現することにある。
【課題を解決するための手段】
【００２０】
このような課題を達成するために、本発明のうち請求項１記載の発明は、
複数のネットワーク構成要素が接続されたネットワークをツリー構造で共通の画面に表示するように構成されたシステム表示装置において、
操作履歴に基づいてネットワーク領域に対する関心度を求め、求めた関心度に応じて展開表示したときの拡大率を変化させる非線形ズーム処理手段により、ネットワークのマクロな情報とミクロな情報を同時に表示することを特徴とするものである。
【００２１】
請求項２は、請求項１記載のシステム表示装置において、
前記非線形ズーム処理手段は、
各ノードの座標データと形状データと接続データを収集するデータ収集部と、
このデータ収集部が収集した各ノードのデータに基づき、拡大表示するノードの拡大率と、拡大ノードの表示と重ならないように他のノードを移動させる移動先と、これら移動ノードの縮小率を演算する演算部、
を含むことを特徴とする。
【００２２】
請求項３は、請求項１または請求項２記載のシステム表示装置において、
前記システムは、ネットワーク管理システムであることを特徴とする。
【００２３】
請求項４は、請求項１または請求項２記載のシステム表示装置において、
前記システムは、フィールド機器がフィールドバスを介して接続されたプラント制御システムであることを特徴とする。
【００２４】
このように構成することにより、ネットワークに接続されるネットワーク構成要素の数が多くなった場合であっても、操作履歴に基づくネットワーク領域に対する関心度を反映させて、各種システムのマクロな情報とミクロな情報の両方を同時に見ることができる。
【図面の簡単な説明】
【００２５】
【図１】本発明で用いるネットワーク管理クライアントＮＷＣの一実施例を示す説明図である。
【図２】本発明の初期状態の表示画面例図である。
【図３】本発明の表示画面例図である。
【図４】本発明の他の表示画面例図である。
【図５】本発明の他の表示画面例図である。
【図６】本発明の他の表示画面例図である。
【図７】本発明の他の表示画面例図である。
【図８】本発明の他の表示画面例図である。
【図９】本発明の他の表示画面例図である。
【図１０】本発明の他の表示画面例図である。
【図１１】本発明の他の表示画面例図である。
【図１２】従来のシステム表示装置の表示画面例図である。
【図１３】従来のシステム表示装置の他の表示画面例図である。
【図１４】従来のシステム表示装置の他の表示画面例図である。
【図１５】従来のシステム表示装置の他の表示画面例図である。
【図１６】従来のシステム表示装置の他の表示画面例図である。
【発明を実施するための形態】
【００２６】
以下、本発明の実施の形態について、詳細に説明する。なお、以下の説明では、ノードを各種システムのネットワーク構成要素の意味で用いる。すなわち、各種フィールド機器がフィールドバスを介して接続されたプラント制御システムの場合には、ノードはフィールド機器に対応し、ネットワークはフィールドバスに対応する。
【００２７】
本発明に基づくシステム表示装置も、従来のシステム表示装置と同様、ネットワーク管理マネージャＮＷＭとネットワーク管理クライアントＮＷＣとで構成され、ネットワークＮＷを構成する各ノードＮＷＮの情報を収集して表示操作を行う。すなわち、ネットワーク管理マネージャＮＷＭとしてはＩＣＭＰ(Internet Control Message Protocol)やＳＮＭＰ(Simple Network Management Protocol)などを使用し、各ノードＮＷＮの情報を収集する。ネットワーク管理クライアントＮＷＣは、マネージャが収集した情報をマップ形式で表示する。
【００２８】
本発明のシステム表示装置により表示されるトップレベルのマップは、それぞれのネットワークＮＷをアイコンで表している。そして、展開したいネットワークＮＷのアイコンをクリックすると、アイコンで示していたネットワークＮＷの表示領域が拡張される。つまり、展開したいネットワークＮＷがズーミングにより拡大表示される。
【００２９】
ところで、選択したネットワークＮＷをズーミング表示した場合、すでに表示されている選択していないその他のネットワークＮＷやノードＮＷＮなどをそのままの状態で表示していると、ズーミング表示されるネットワークＮＷの表示領域と重なってしまい、見づらくなってしまう。
【００３０】
そこで、ネットワークＮＷやノードＮＷＮの接続状況をなるべく保持しながらこれら選択していないその他のネットワークＮＷやノードＮＷＮなどを重ならない位置に移動させる。さらに、移動しても表示領域が重なってしまう場合には、これらの表示領域を部分的に縮小する。
【００３１】
すなわち、本発明では、非線形ズーミング処理手段を用いて、選択したネットワークＮＷのズーミング表示を行うと同時に、選択していないその他のネットワークＮＷやノードＮＷＮの一部については必要に応じて縮小表示も行い、さらに、ユーザのネットワーク領域に対する関心度を導入する。
【００３２】
なお、本発明では、ネットワーク領域に対してもっとも関心があるのは、拡大表示を行った直後であると仮定する。つまり、ユーザの関心度は、時間が経過するほど、言い替えれば、ユーザが行った拡大表示操作の中で古いものほど関心が低くなると仮定する。
【００３３】
ただし、これ以外にも関心度を定義することは可能である。たとえば、あるネットワーク領域と他のネットワーク領域を比べたいときなどは、双方のネットワークの関心度を高くしておきたいはずである。
【００３４】
そこで、本発明のシステムでは、ネットワーク領域の関心度として操作履歴をベースとし、それに加えてユーザが関心度の変更をできるものとする。
【００３５】
すなわち、本発明のシステムでは、関心度を保持するために、ネットワーク管理クライアントに、関心度保持部を設ける。関心度保持部では、ユーザが拡大表示を指定したネットワーク領域を、操作順に保持する。ここでは、最も古くから拡大表示したネットワーク領域を関心度が低いとみなす。
【００３６】
また、関心度保持部には、関心度を変化させないネットワーク領域を保持するための構成も備えている。前述したように、たとえば２つのネットワーク領域を比較するために関心度を高いままにしておきたい場合には、ユーザが指定することによって、関心度を変化させないグループに含めさせることができる。
【００３７】
操作順に並んだグループは、ユーザが任意に順序を変更できるものとする。
【００３８】
関心度を変化させないグループへの指定や関心度の順序を変更させる場合には、ポップアップメニューやメニューバーなどを使用する。たとえば、ネットワーク領域を選択状態にしてマウスクリックなどでポップアップメニューを表示させる。ポップアップメニューの項目としては「拡大表示を保持」、「拡大」「縮小」「アイコン表示」などが考えられる。「拡大表示を保持」を指定した場合、指定したネットワーク領域を関心度を変化させないものとする。
【００３９】
「拡大」、「縮小」を選択した場合には、操作履歴によって並べられたネットワーク領域の順序を操作する。具体的には、「拡大」の場合は関心度が高い方のネットワーク領域と順序を入れ替え、「縮小」の場合は関心度が低い方のネットワーク領域と順序を入れ替える。
【００４０】
「アイコン表示」は、拡大表示をしているネットワーク領域をアイコン表示に戻し、関心度保持部から指定したネットワーク領域を取り除く。
【００４１】
図１は本発明で用いるネットワーク管理クライアントＮＷＣの一実施例を示す説明図であり、（Ａ）は非線形ズーム処理手段の構成例を示すブロック図、（Ｂ）は（Ａ）の非線形ズーム処理機能に着目したブロック図である。
【００４２】
図１（Ａ）において、全ノード座標データ格納部１には、ネットワーク管理マネージャＮＷＭ、ネットワーク管理クライアントＮＷＣ、各ネットワークＮＷ、各ノードＮＷＮを含む全ノードの座標データが格納されている。全ノード形状データ格納部２にはこれら全ノードの形状データが格納され、全ノード接続データ格納部３にはこれら全ノードの接続データが格納されている。関心度格納部４には、ユーザの操作状況に基づく関心度が格納されている。
【００４３】
操作入力部５は、マウスやキーボードやタッチパネルなどのマン・マシーンインターフェイスであり、ノードの選択指定や、数値入力などを行う。
【００４４】
選択ノード拡大率演算部６は、これら格納部１〜４に格納されている全ノードの座標、形状、接続データおよび関心度を参照しながら、操作入力部５で選択指定されたノードについて表示すべき拡大率を演算する。
【００４５】
移動ノード移動合成力演算部７は、各格納部１〜４に格納されている全ノードの座標、形状、接続データおよび関心度と選択ノード拡大率演算部６で演算された選択ノードの拡大率を参照しながら、これらネットワークＮＷやノードＮＷＮなどが重ならないように表示するための距離とそれぞれの形状の大きさに基づく反発力および戻る力よりなる移動合成力を演算する。
【００４６】
移動ノード縮小率演算部８は、前記各格納部１〜４に格納されている全ノードの座標、形状、接続データおよび関心度と選択ノード拡大率演算部６で演算された選択ノードの拡大率と移動ノード移動合成力演算部７で演算された全ノードの移動合成力を参照し、これらネットワークＮＷやノードＮＷＮなどが重ならないように表示するための縮小率を演算する。
【００４７】
表示処理部９は、これら各演算部６〜８の演算結果に基づき、全ノードを以下に示す表示部１０の共通画面に表示するための表示データを生成する。
【００４８】
表示部１０は、表示処理部９で生成された全ノードを含む表示データに基づき、以下に示すようなマップを表示する。
【００４９】
通信部１１は、ネットワーク管理マネージャＮＷＭから情報を取得するための通信を行う。
【００５０】
（Ａ）に示す非線形ズーム処理手段の各部は相互に連携し、機能的には（Ｂ）に示すように、ユーザの操作に応じてそれぞれ表示されるマップを生成するマップ生成部１２と、拡大表示時の再レイアウトを行うためのレイアウト部１３を構成している。
【００５１】
このような非線形ズーミング処理手段を用いることにより、選択したネットワークＮＷのズーミング表示を行うと同時に、選択していないその他のネットワークＮＷやノードＮＷＮの一部については必要に応じて縮小表示も行えるので、複数のノードＮＷＮが接続されたネットワークＮＷをツリー構造で共通の画面に表示するのにあたり、選択していないその他のネットワークＮＷやノードＮＷＮの一部を移動や縮小する場合でもそれらのネットワークＮＷやノードＮＷＮの相対位置関係をできるかぎり維持することができる。
【００５２】
本発明の非線形ズーミング処理においては、表示しているノードＮＷＮ間には互いに遠ざける力(反発力)があると考える。この反発力は、ノードＮＷＮ間の距離が近ければ近いほど大きくなるものであり、たとえば正規分布の確率密度関数などを利用してモデル化することができる。
【００５３】
また、各ノードＮＷＮは、移動量に応じて、元の場所に戻る力が発生すると考える。この場合も、移動量が大きければ大きいほど元に戻る力が大きくなるものとする。
【００５４】
展開したネットワークＮＷは、ノードＮＷＮの形状が拡大されたと考え、ノードＮＷＮと同様に反発力や戻る力があると考える。ノードＮＷＮの形状の大きさに応じて、元に戻る力は大きくなる。つまり、移動しにくくなる。
【００５５】
本発明の具体的な処理ステップについて説明する。
１）アイコンで表示されている初期状態のマップを図２に示す。図２において、すでに拡大表示しているネットワークＮＷ１の領域をＡとする。
２）図２に示す初期状態のマップ画面上から、指定された１つまたは複数のネットワークを拡大展開表示するが、ここではネットワーク領域Ｂを拡大展開表示するものとする。このとき、拡大すべき領域の大きさは、図３に示すように、そのネットワーク領域に含まれるネットワーク構成要素の数などに基づき決定する。
【００５６】
３）すでに拡大表示されているネットワークＮＷ１の領域Ａの大きさを、ユーザの操作履歴に基づき関心度保持部４に格納されている関心度に応じて縮小する。たとえば、１回前に拡大表示したネットワーク領域の縮小率を１０％とし、２回前に拡大表示したネットワーク領域の展開したネットワーク領域はさらに１０％縮小するなど、履歴の古いネットワーク領域ほど小さく表示するようにする。図２の場合は、すでにネットワークＮＷ１の領域Ａが拡大表示されているので、図４に示すように、ネットワークＮＷ１の領域Ａを決められた倍率で縮小する。
【００５７】
４）このとき、単にネットワークの拡大や縮小を行うだけでは、ノードやネットワーク領域で重なりが生じてしまうため、たとえば以下に説明する手法で、図５に示すような再レイアウトを行う。
４−１）選択され拡大ズーミング表示されたネットワークＮＷ１の領域Ａと、すでに表示され選択されているネットワークＮＷ２や選択されていないノードＮＷＮ１〜３などとの間の反発力を求める。このとき、選択拡大ズーミング表示されたネットワークＮＷ１の領域Ａと選択されたネットワークＮＷ２やその他のノードＮＷＮ１〜３などとの距離は、拡大ズーミング表示されたネットワークＮＷ１の領域Ａの縁から選択されたネットワークＮＷ２やその他のノードＮＷＮ１〜３などの縁までの距離とする。ただし、領域が重なり合っている場合は、距離を０として考える。
【００５８】
４−２）すでに表示され選択されているネットワークＮＷ２や選択されていないノードＮＷＮ１〜３などが元に戻る力を求める。
４−３）すでに表示され選択されているネットワークＮＷ２や選択されていないノードＮＷＮ１〜３などのそれぞれについて、４−１）で求めた反発力および４−２）で求めた元に戻る力を加えて移動させる。
４−４）４−１）から４−３）の処理を繰り返して行い、ネットワークＮＷ２やノードＮＷＮ１〜３にかかる力の絶対値が所定の閾値より小さくなるようにする。
【００５９】
これら一連の処理を実行した結果、互いの表示領域が重なるようであれば、選択していないノードＮＷＮ１〜３などを縮小し、重ならないようにする。なお、縮小にあたっては
【００６０】
以上の手順を繰り返すことにより、注目するノードを拡大表示するとともに、その他のノードは相対位置をなるべく維持したままで移動、縮小することができる。
【００６１】
５）図５において、ネットワークＮＷ３の領域Ｃを拡大表示する操作をしたとする。この場合、ネットワークＮＷ１の領域Ａはさらに縮小し、ネットワークＮＷ２の領域Ｂも縮小表示する。ネットワークＮＷ３の領域Ｃの表示面積が決まった後、前述と同様に図６に示すような再レイアウトを行う。
【００６２】
６）さらに、図６において、ネットワークＮＷ２の領域Ｂ内にあるネットワークＮＷ４の領域Ｄを拡大表示する場合、ネットワークＮＷ４の領域Ｄ以外のネットワーク構成要素をユーザの操作履歴に基づき関心度保持部４に格納されている関心度に応じて縮小する。ネットワークＮＷ４の領域Ｄの表示面積が決定した後、前述と同様に図７に示すような再レイアウトを行う。
【００６３】
７）図７において、再びネットワークＮＷ１の領域Ａに対して操作が行われると、図８に示すように、再び当初と同じ大きさまで拡大表示される。これに応じて、他の展開表示されているネットワークＮＷ２〜ＮＷ４の各領域Ｂ〜Ｄは、ユーザの操作履歴に基づき関心度保持部４に格納されている関心度に応じて縮小表示される。
【００６４】
８）これら各ネットワークの領域の拡大表示は、必要に応じて取り消すことも可能である。この場合、拡大表示の取り消しを指定したネットワークの領域については初期状態のアイコン表示に戻し、拡大表示されている他のネットワークの領域の縮小率は変化させないようにする。
【００６５】
９）ユーザが操作を繰り返した結果、ネットワークの領域内に内包されるノードやネットワークの領域が表示画面上で参照できなくなるほど縮小されてしまった場合には、展開表示をやめて、初期状態のアイコン表示に戻す。初期状態のアイコン表示に戻す閾値としては、たとえば初期状態のアイコンの大きさを用い、拡大表示したネットワークの領域を表示する大きさと初期状態のアイコンの大きさが等しくなったら初期状態のアイコン表示に戻すようにする。なお、閾値をユーザが任意に指定できるようにしてもよい。
【００６６】
また、たとえば図９（Ａ）に示すように、親ネットワークＮＷ２の領域Ｂの中にさらに別の子ネットワークＮＷ４の領域Ｄが内包されている入れ子構成のネットワークの場合、内包されている子ネットワークＮＷ４の領域Ｄの関心度が高いにも拘わらず、その親ネットワークＮＷ２の領域Ｂの関心度が低い結果、関心度の高い子ネットワークＮＷ４の領域Ｄ以外のノードなどが参照できないほど縮小されてしまうことがある。この場合には、たとえば図９（Ｂ）に示すように、親ネットワークＮＷ２の領域Ｂが存在することだけを示すような表示を行う。
【００６７】
このとき、親ネットワークＮＷ２の領域Ｂに含まれるノードと子ネットワークＮＷ４の領域Ｄに含まれるノード間にコネクションが存在する場合には、コネクションが存在することが分るようにたとえば線分による描画表記を行うとともに、実際にコネクションで接続しているノードはツールチップなどで表示できるようにする。
【００６８】
また、図１０（Ａ）に示すように、親ネットワークＮＷ２の領域Ｂに含まれるノードＮＷＮ６を経由して、子ネットワークＮＷ４の領域Ｄに含まれるノードＮＷＮ１０への接続があった場合でも、経由しているノードＮＷＮ１０をアイコンなどで描画することはしないものの、図１０（Ｂ）のように経由していることが分るような表示を行う。
【００６９】
以上の手順を繰り返すことで、関心度に応じて拡大、縮小するため、多くのネットワークの領域を展開表示する場合でも、ネットワーク全体の監視を続けることができる。
【００７０】
なお、ユーザが多くのネットワークの領域の関心度を変化させないように指定した場合には、複数のネットワークの領域が重なってしまうなどの問題が発生することがある。
【００７１】
そこで、これらの対策として、関心度を変化させないネットワークの領域の個数や、関心度の変化しないネットワークの領域の面積が全体の面積に占める割合などによって、関心度を変化させないネットワークの領域に制限をかけるようにする。これら関心度を変化させないネットワークの個数や、ネットワーク領域の面積の占める割合などの閾値は、ユーザが指定することとする。
【００７２】
さらに、ユーザが関心度に関するルールを設定することもできる。たとえば、ノードがパケット破棄を起こすなどの問題が発生している状態では、そのノードを含むネットワークの領域は、ユーザにとって関心度が高いと考えることができる。そこで、警報などが発生しているノードを含むネットワーク領域は、常に関心度を高くするように設定する。
【００７３】
ノードだけでなく、ある２個所のノードを結ぶコネクションで過大なトラフィックが流れているような場合でも同様に考えることができる。そこで、問題が発生しているコネクションが接続しているノードを含むネットワークの領域の関心度を高い状態に設定する。
【００７４】
これらのルールは、ユーザがシステムで監視している項目から任意に選択し、その項目の値によって関心度を設定するように記述する。また、警報やアラームも、関心度のルールとして使用できる。
【００７５】
システムは、ユーザが設定したルールを読み込み、監視しているノードのルールで指定された監視項目の現在値によって、そのノードを含むネットワークの領域の関心度を決定する。
【００７６】
本発明に基づくマップ表示画面によれば、ネットワークのマクロな情報とミクロな情報が同時に表示されるので、監視対象となっている広大なネットワークのマクロな状況と、障害が発生しているかもしれないネットワークの一部を拡大したミクロな状況を同時に目視確認でき、監視対象となっている広大なネットワークの状況を直観的かつ的確に把握して障害が発生している場合には迅速に適切な対策処置を講じることができる。
【００７７】
展開表示したネットワークの領域が多くなった場合でも、全体の縮小を行わずにすむため、拡大表示の取消しなど行わずにネットワークの監視を続けることができ、多数のネットワーク構成要素を含むネットワークであっても効率よく監視が行える。
【００７８】
なお、上記実施例では、ネットワーク管理システムにおけるシステム構成状況を表示する例について説明したが、たとえばプラントや工場などにおいてフィールドバスで接続された制御機器やセンサなど各種フィールド機器の保守・運用管理に使用するプラント制御システムのシステム構成状況の表示にも適用できるものである。
【００７９】
図１１は、フィールド機器の管理に応用したマップ形式の表示画面例図である。図１１において、ノードＤに含まれる機器が警報を発したような場合、ノードＤの関心度を常に高い状態にしておくことにより、他の操作を行ったとしても常に表示させておくことができる。
【００８０】
以上説明したように、本発明によれば、操作履歴に基づくネットワーク領域に対する関心度を反映させながら、各種システムのマクロな情報とミクロな情報の両方を同時に見ることができるシステム表示装置を実現することができ、各種システムのの状況を効率よく監視できる。
【符号の説明】
【００８１】
ＮＷＭ  ネットワーク管理マネージャ
ＮＷＣ  ネットワーク管理クライアント
ＮＷＮ  ノード
ＮＷ  ネットワーク
１  全ノード座標データ格納部
２  全ノード形状データ格納部
３  全ノード接続データ格納部
４  関心度格納部
５  操作入力部
６  選択ノード拡大率演算部
７  移動ノード移動合成力演算部
８  移動ノード縮小率演算部
９  表示処理部
１０  表示部
１１  通信部
【図１】
2012177984.tif 000003
【図２】
2012177984.tif 000004
【図５】
2012177984.tif 000005
【図６】
2012177984.tif 000006
【図７】
2012177984.tif 000007
【図８】
2012177984.tif 000008
【図９】
2012177984.tif 000009
【図１０】
2012177984.tif 000010
【図１１】
2012177984.tif 000011
【図１２】
2012177984.tif 000012
【図１３】
2012177984.tif 000013
【図１６】
2012177984.tif 000014
【図３】
2012177984.tif 000015
【図４】
2012177984.tif 000016
【図１４】
2012177984.tif 000017
【図１５】
2012177984.tif 000018